(57)【要約】      （修正有）【課題】口紅及び口紅関連製品を一緒に収容できる陳列台を提供する。【解決手段】直線状の２辺が平行に対向する長円柱状で、上部に前記２辺の一方から他方に向かう傾斜面１ａを有し、前記傾斜面１ａにおいて、低部位に複数の収容穴２を長手方向に離間して開設してなる前段開口群３を設けるとともに、高部位に前記低部位の各収容穴２と長手方向の位置が互い違いとなるように複数の収容穴４を長手方向に離間して開設してなる後段開口群５を設けるようにした。【選択図】図１
0003146409.tif 000002
【実用新案登録請求の範囲】
【請求項１】
直線状の２辺が平行に対向する長円柱状で、上部に前記２辺の一方から他方に向かう傾斜面を有し、前記傾斜面において、低部位に複数の収容穴を長手方向に離間して開設してなる前段開口群を設けるとともに、高部位に前記低部位の各収容穴と長手方向の位置が互い違いとなるように複数の収容穴を長手方向に離間して開設してなる後段開口群を設けたことを特徴とする口紅陳列具。
【請求項２】
前記後段開口群の収容穴は、前記前段開口群の収容穴よりも口径が小さく形成されている請求項１に記載の口紅陳列具。
【考案の詳細な説明】
【技術分野】
【０００１】
本考案は、化粧品陳列具に係り、特に、口紅、口紅ブラシ、リップライナー等の口紅製品を陳列するための口紅陳列具に関するものである。
【背景技術】
【０００２】
化粧品は、「洗顔石鹸」、「メイク落し」、「化粧水」、「乳液」、「美容液」、「ナイトクリーム」、「栄養クリーム」、「口紅」等、多種類の化粧品が使用されており、多種類の化粧品を収容して陳列する化粧品陳列具が知られている。
【０００３】
例えば、特開平９−２８５２４号公報に記載の陳列台は、下面に開口部を有しこの開口部が板状周壁で形成された口紅立ておよびコンパクト置きと、これら口紅立ておよびコンパクト置きの板状周壁の下端部に着脱自在に嵌合しうる滑り止め用の可撓性のチューブとを備えている。そして、上記チューブに長手方向に沿って溝が形成されており、この溝が上記板状周壁の下端部に着脱自在に嵌合している。
【０００４】
上記陳列台は、口紅立ておよびコンパクト置きをディスプレイケースに収容して陳列し、必要に応じて回転することができる。
【特許文献１】特開平９−２８５２４号公報
【考案の開示】
【考案が解決しようとする課題】
【０００５】
一般に、家庭において、家の人が化粧品を使用する場所は決まっておらず、化粧品が家庭内の複数個所に散在することが普通であり、特に、口紅は手軽に持ち運んで使用され、口紅染料が家庭内の家具に附着しないように、口紅にはキャップが設けられている。しかしながら、口紅と共に使用される口紅ブラシ、リップライナー等の口紅関連製品は、口紅染料部分、又は口紅染料が附着する部分を露出して使用するので、家具に附着する可能性が高く、これら口紅及び口紅関連製品の取扱いには注意が必要である。
【０００６】
特開平９−２８５２４号公報に記載の陳列台に使用されている口紅立ては、店頭に陳列するためのものであるが、これを家庭用に流用することが考えられるが、口紅ブラシ、リップライナー等の口紅関連製品を上記陳列台の開口部に収容すると、口紅ブラシ、リップライナー等は、口紅に比べて長さがあり、また、口径も小さく安定が悪いため使いにくく、口紅及び口紅関連製品を一緒に収容できる口紅陳列具が望まれていた。
【０００７】
この考案は、上記課題を解決するために、口紅及び口紅関連製品を一緒に収容できる陳列台を提供することを目的とする。
【課題を解決するための手段】
【０００８】
上記課題を解決するために、請求項１記載の考案は、直線状の２辺が平行に対向する長円柱状で、上部に前記２辺の一方から他方に向かう傾斜面を有し、前記傾斜面において、低部位に複数の収容穴を長手方向に離間して開設してなる前段開口群を設けるとともに、高部位に前記低部位の各収容穴と長手方向の位置が互い違いとなるように複数の収容穴を長手方向に離間して開設してなる後段開口群を設けたことを特徴とする口紅陳列具である。
【０００９】
また、請求項２記載の考案において、前記後段開口群の収容穴は、前記前段開口群の収容穴よりも口径が小さく形成されている請求項１に記載の口紅陳列具である。
【考案の効果】
【００１０】
本考案の口紅陳列具は、口紅及び口紅関連製品を一緒に収容でき、持ち運びが容易であるので、家庭において、家の人が口紅製品を使用する場所に陳列台を持ち運んで収容された口紅及び口紅関連製品を使用しても、使用後、口紅及び口紅関連製品は、陳列台に纏めて収容できるので、口紅及び口紅関連製品の紛失や口紅染料の家具への附着を防ぐことができる。
【考案を実施するための最良の形態】
【００１１】
以下、図面に基づいて本考案の実施の形態を説明する。
【実施例】
【００１２】
図１は、本考案に係る陳列台の実施例の斜視図、図２は、図１の平面図、図３は、図１の正面図、図４は、図２のＡ−Ａ断面図である。
【００１３】
図１〜図４において、陳列台１は、例えばアクリルのように適度な硬度を有する樹脂で形成されている。陳列台１の外観は、直線状の２辺が平行に対向する長円柱状であり、上部に、直線状の２辺の一方から他方に向かう傾斜面１ａが形成されている。上部の傾斜面１ａにおいて、低部位には、複数の収容穴２を長手方向に離間して直線状に開設してなる前段開口群３が設けられている。
【００１４】
また、傾斜面１ａの高部位には、複数の収容穴４を低部位の各収容穴２と長手方向の位置が互い違いとなるように長手方向に離間して直線状に開設してなる後段開口群５が設けられている。
【００１５】
前段開口群３において、複数の収容穴２は、主に口紅６を起立させておくために設けられたものである。口紅６は、高さが低いが種類によって口径が異なるため、収容穴２も複数種類の口径に形成されている。
【００１６】
後段開口群５において、複数の収容穴４は、口紅ブラシ７ａ、リップライナー７ｂ等の口紅関連製品７を起立させておくために設けられたもので、前段開口群３の収容穴２よりも口径が小さく形成されている。
【００１７】
前段開口群３、後段開口群５において、複数の収容穴２、４は、それぞれ口径を同一に形成する場合、等間隔に直線状に開設するとよい。また、複数の収容穴２、４は、それぞれ口径を異ならせて形成する場合、個々の中心位置が直線上となるように開設するとよい。
【００１８】
使用した口紅染料の拭き取り用に綿棒が使われるので、収容穴２，４には、綿棒が収容されることもある。口紅陳列具１は、上部の傾斜面１ａの低部位と高部位において、長手方向の位置が互い違いとなるように複数の収容穴２，４をそれぞれ長手方向に離間して直線状に開設してなる前段開口群３と後段開口群５を設け、後段に長さのある口紅ブラシ７ａ、リップライナー７ｂ等の口紅関連製品を配置し、前段に低い口紅製品を置くようにした。
【００１９】
本考案の口紅陳列具は、上部の面１ａが傾斜しているので収容穴が見易く、口紅及び口紅関連製品の収容が容易であり、また、収容した状態において、口紅及び口紅関連製品が見易く、取り易いものである。
【００２０】
また、本考案の口紅陳列具は、口紅及び口紅関連製品だけを収容する大きさなので小形に形成でき持ち運びが容易であるので、家庭において、家の人が口紅製品を使用する場所に口紅陳列具を持ち運んで口紅及び口紅関連製品を一緒に収容して使用できる。そのため、収容された口紅製品は、使用後に纏めて保存できるので、口紅製品の紛失や口紅の染料の家具への附着を防ぐことができる。
【図面の簡単な説明】
【００２１】
【図１】本考案に係る陳列台の実施例の斜視図である。
【図２】図１の平面図である。
【図３】図１の正面図である。
【図４】図２のＡ−Ａ断面図である。
【符号の説明】
【００２２】
１  陳列台
１ａ  傾斜面
２，４  収容穴
３  前段開口群
５  後段開口群
６  口紅
７  口紅関連製品
７ａ  口紅ブラシ
７ｂ  リップライナー
【図１】
0003146409.tif 000003
【図２】
0003146409.tif 000004
【図３】
0003146409.tif 000005
【図４】
0003146409.tif 000006